(57)【要約】【課題】  超小型プッシュスイッチでのロック機能を小型で可能にする。【解決手段】  既製のプッシュスイッチの取付け用の金具が新規設計された金具と、押しボタンと結合して設置される回転押しボタンを設置して、そのまま回転押しボタンを押せば、回転押しボタンによって押される位置に設置されたスイッチがスイッチ動作する。回転押しボタンの左右どちらか一定角度の回転によってスイッチを動作出来るストロークを得るための新取付け金具によってスイッチが動作し保持される。又、左右どちらか一定角度どちらかの方向に回転されるとスイッチの保持が解除されて元に戻る。【選択図】図１
2008218374.tif 000002
【特許請求の範囲】
【請求項１】
スイッチ本体を取り付け金具を介してボディーケースに取り付け、スイッチ本体の押しボタンを外部から操作するカメラのスイッチにおいて、前記押しボタンはその先端に固定されて同押しボタンの回転操作を可能にする回転ボタンを備え、この回転ボタンはこれを一定角度を回転させたとき、前記押しボタンを動作（オン又はオフ）位置に保持する構成としたことを特徴とするカメラのスイッチ。
【発明の詳細な説明】
【技術分野】
【０００１】。
本発明は超小型プッシュスイッチにロック機能のスイッチに関する。
【背景技術】
【０００２】  通常のプッシュスイッチはロック付きものはありますが、超小型タイプのスイッチは、ロック付のものは構造的に大きくなり実用的なものでない。
皮膚用ダーモスコープ皮膚の臨床部を撮影して拡大画像を見て診断を下す装置での使用において、右手でデジタルカメラを支えながら人差し指でシャッターを構え、又、左手でカメラを支えながら照明用の小型スイッチを押しながら両手を使用して安定に撮影するのが通例であった。その使用する照明用プッシュスイッチを図５でボディケース２に取付けた状態を示している。スイッチ本体３を８のワッシャーをつけてからボディケースに本体の９のねじ部（雄ねじ）を利用して取付け用金具１３のねじ部（雌ねじ）を使って取付ける。
【発明の開示】
【発明が解決しようとする課題】
【０００３】皮膚用ダーモスコープ皮膚の臨床部を撮影して拡大画像を見て診断を下す装置での使用において、両手で機器を扱うのが通例であったが、患部の状況では、片手で患部を撮影し易いように押さえるなどの対応が必要な片手操作での撮影の必要性がある。
【課題を解決するための手段】
【０００４】従来のプッシュスイッチの取付け用の金具を新しく設計し、かつ、その従来のプッシュスイッチの押しボタンとその押ボタンと結合した回転可能な押しボタンを設置して、そのまま回転押しボタンを押せば、回転押しボタンによって押される位置に設置されたスイッチが動作する。前記スイッチの新取付け用金具の突起部と回転押しボタンのつばとの構成で、左右どちらか９０度程度の回転によって回転押しボタンが下方にスイッチ動作させるストローク分沈む事によってスイッチを動作させる。その状態は保持される。又、左右どちらか９０度程度どちらかの方向に回転するとスイッチの動作の保持が解除され元にもどります。
【発明の効果】
【０００５】押しボタンスイッチにロック機構をつけたので、撮影前に回転押しボタンを回転して照明スイッチ動作させてそのままの動作を保持して、左手で患部を押さえたり、皮膚を伸ばしたりするような各種の細工をして、右手でダーモスコープを支えながらカメラのシャッターを押して撮像出来る。従って、本発明の効果として図６の示されているように従来と同じプッシュスイッチ動作と共に、本発明により片手でダーモスコープでの撮影が可能になった。
【発明を実施するための最良の形態】
【０００６】図３はスイッチ動作保持機能を持つために設計した新取付け用金具を正面、横、上方向からみた図を示している。特に３Ａ，３Ｂ，３Ｃに示したように突起部を持ち形状的にはその突起部が曲線部をもっているのが特徴である。又、図４ではもう一つの発明の構成要素である回転押しボタンを断面図、上、下方向からの図が示されている。４Ａ，４Ｂのようにつまみの下の部分につばを４Ｃの２つの印の方向にもっている。４Ｂの横線部のつばと取付け用金具とその突起部７が回転押しボタンとの羽目合いの位置関係が示されている。こと位置関係でスイッチ本体との取付けと回転押しボタンと押しボタンと結合させて構成する。４Ｂの１２の窪みはここにスイッチの押しボタンの頭部が圧入される部分です。【０００７】以下、本発明の実施形態を図１と図２に基づいて説明する。【０００８】図１は本発明の実施例の一つを示している。ボディケースに取付けられたスイッチを上部から見て、Ａ−Ａ断面とＢ−Ｂ断面を示している。１Ａでは既存のスイッチ本体３をワッシャー８を介してボディケース２に通して新しく製作した取付け用金具（雌ねじ）７でもって既存スイッチの取付け用のねじ部（雄ねじ）９を使って取付ける。中央にあるスイッチ本体の押しボタン４の頭部を回転可能な押しボタン１に圧入又は接着して結合させる。又、１Ｂで示すように回転押しボタンの下部にこの断面方向でつば６と１Ａの取付け金具の突起部７とにより後述する回転時にスイッチ動作の保持機構を担う。この図１では回転押しボタンを押せば、スイッチ本体の押しボタンを押すことになり、スイッチが動作する。この時押しボタンが押された時５で示す間隙がスイッチ動作のストローク分となる。回転押しボタンの上部にある上下二つある印１０がこの方向にあるときは通常のプッシュスイッチ動作を行う。図２は図１と同様上部からみた図で、本発明で言う回転押しボタンみを９０度程度の回転させた時スイッチ動作を保持する。回転押しボタンの上部の印が水平方向になっている。２ＡのＣ−Ｃ断面図に示されたように回転押しボタン１の６に示すつばの部分がつまみの回転により取付け用金具７の突起部の下部に入る。そのため、回転押しボタンが沈み、押しボタン４が押されてスイッチが動作となりかつこの状態が保持される。その結果回転押しボタンがスイッチ動作ストローク分下がって図１Ａの５の間隙と同様にボディケースとの隙間１１が小さくなる。【０００９】取付け金具の突起部が曲線部を持たない場合は一端スイッチ押してから回転押しボタンを廻してもスイッチ動作保持は可能である。
しかし、本発明の突起部に曲線部を持つことにより４Ｃから４Ｄの方向に回転させますと、つば６が３Ａの取付け用金具の７部分の曲線に沿って沈んで行き最終的には金具の突起部の下に潜り込んで２Ａ図のようになる状態となり、スイッチ動作が保持される。このようにスイッチの位置の状態に拘わらず回転押しボタンを回転すれば曲線部に沿って回せるのが効果である。又、この曲線部により通常のプッシュスイッチ動作時には回転押しボタンの角度のずれがあっても動作する余裕の間となる。実施例では突起物に曲線部を持つ取付け用金具の材料として真鍮を採用し、回転押しボタンをプラスチック樹脂を採用して摩耗に対し配慮している。【００１０】図６のように皮膚用ダーモスコープにおいて、通常は右手でデジタルカメラ１２を支えながら、シャッタースイッチ１３を人差し指で押すことになり、左手で同じくカメラを支えながら照明用スイッチを押して両手で撮像を行っていました。本発明のスイッチを照明用プッシュスイッチに採用して、回転押釦つまみ１を図の設置に示すように設置します。そこで、あらかじめつまみを回転させてスイッチ動作を保持して照明をしながら、左手で皮膚の患部を処理しながら右手でデジタルカメラ１２を支えながらシャッタースイッチを１３を人差し指で押して撮像することが可能になった。
【図面の簡単な説明】
【００１１】
【図１】  本発明のスイッチのプッシュスイッチ機能の動作図
【図２】  本発明のスイッチのプッシュスイッチ機能の回転による動作保持図
【図３】  本発明用のスイッチ取付け用金具図
【図４】  本発明の回転押しボタン図
【図５】  従来のプッシュスイッチのボディケース取付け図
【図６】  本発明のダーモスコープでの実施図
【図１】
2008218374.tif 000003
【図２】
2008218374.tif 000004
【図３】
2008218374.tif 000005
【図４】
2008218374.tif 000006
【図５】
2008218374.tif 000007
【図６】
2008218374.tif 000008